(57)【要約】【課題】  移動ベースに対する対物レンズ駆動装置の位置調整の調整精度の向上等を図る。【解決手段】  移動ベース７に固定され該移動ベースに対する対物レンズ駆動装置８の位置調整を行うための調整用プレート１５を設け、対物レンズ駆動装置に、調整用プレートに固定される固定ブロック１３と、固定ブロックに対して所定の方向へ移動される可動ブロック１２とを設け、調整用プレートに、固定ブロックが固定される固定部１６ａと、位置調整時に位置調整用治具に把持される被把持部１６ｂとを設け、調整用プレートの被把持部の少なくとも一部を、対物レンズのレンズ中心Ｐを通りディスク状記録媒体１００のタンジェンシャル方向に延びる線分Ｌを基準としてディスクテーブルが位置する側の領域である第１の領域Ｒ又はその反対側の第２の領域Ｌの方向へ固定部から突出させて設け、位置調整時に、位置調整用ディスク２００を調整用プレートの被把持部の少なくとも一部が突出されない側の領域である第２の領域又は第１の領域に位置させるようにした。【選択図】  図５
2006040317.tif 000002
【特許請求の範囲】
【請求項１】
ディスクテーブルに装着され情報信号の記録又は再生が行われるディスク状記録媒体の半径方向へ移動される移動ベースと該移動ベースに配置され対物レンズを所定の方向へ変位させる対物レンズ駆動装置とを備え、製造工程において、対物レンズを介して位置調整用ディスクに照射されるレーザー光に基づいて検出される所定の測定値が最適化される位置に対物レンズ駆動装置を移動ベースに対して位置調整する光ピックアップであって、
上記移動ベースに固定され該移動ベースに対する対物レンズ駆動装置の上記位置調整を行うための調整用プレートを設け、
上記対物レンズ駆動装置は、調整用プレートに固定される固定ブロックと、該固定ブロックに支持され固定ブロックに対して所定の方向へ移動される可動ブロックとを備え、
上記調整用プレートは、固定ブロックが固定される固定部と、移動ベースに対する対物レンズ駆動装置の上記位置調整時に位置調整用治具に把持される被把持部とを有し、
調整用プレートの被把持部は少なくとも一部が、対物レンズのレンズ中心を通りディスク状記録媒体のタンジェンシャル方向に延びる線分を基準として上記ディスクテーブルが位置する側の領域である第１の領域又はその反対側の第２の領域の方向へ固定部から突出されて設けられ、
移動ベースに対する対物レンズ駆動装置の上記位置調整時に、位置調整用ディスクを調整用プレートの被把持部の少なくとも一部が突出されない側の領域である第２の領域又は第１の領域に位置させるようにした
ことを特徴とする光ピックアップ。
【請求項２】
調整用プレートの被把持部の上記少なくとも一部を上記第１の領域の方向へ固定部から突出させて設けた
ことを特徴とする請求項１に記載の光ピックアップ。
【請求項３】
ディスクテーブルに装着され情報信号の記録又は再生が行われるディスク状記録媒体の半径方向へ移動される移動ベースと該移動ベースに配置され対物レンズを所定の方向へ変位させる対物レンズ駆動装置とを有する光ピックアップを備え、該光ピックアップの製造工程において、対物レンズを介して位置調整用ディスクに照射されるレーザー光に基づいて検出される所定の測定値が最適化される位置に対物レンズ駆動装置を移動ベースに対して位置調整するディスクドライブ装置であって、
上記移動ベースに固定され該移動ベースに対する対物レンズ駆動装置の上記位置調整を行うための調整用プレートを設け、
上記対物レンズ駆動装置は、調整用プレートに固定される固定ブロックと、該固定ブロックに支持され固定ブロックに対して所定の方向へ移動される可動ブロックとを備え、
上記調整用プレートは、固定ブロックが固定される固定部と、移動ベースに対する対物レンズ駆動装置の上記位置調整時に位置調整用治具に把持される被把持部とを有し、
調整用プレートの被把持部は少なくとも一部が、対物レンズのレンズ中心を通りディスク状記録媒体のタンジェンシャル方向に延びる線分を基準として上記ディスクテーブルが位置する側の領域である第１の領域又はその反対側の第２の領域の方向へ固定部から突出されて設けられ、
移動ベースに対する対物レンズ駆動装置の上記位置調整時に、位置調整用ディスクを調整用プレートの被把持部の少なくとも一部が突出されない側の領域である第２の領域又は第１の領域に位置させるようにした
ことを特徴とするディスクドライブ装置。
【請求項４】
調整用プレートの被把持部の上記少なくとも一部を上記第１の領域の方向へ固定部から突出させて設けた
ことを特徴とする請求項３に記載のディスクドライブ装置。
【発明の詳細な説明】
【技術分野】
【０００１】
本発明は光ピックアップ及びディスクドライブ装置に関する。詳しくは、調整用プレートが突出された側と反対側に位置調整用ディスクを位置させて、移動ベースに対する対物レンズ駆動装置の位置調整の調整精度の向上等を図る技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベース上に配置された対物レンズ駆動装置と移動ベースに配置された所要の複数の光学部品とを備えている。
【０００４】
このような光ピックアップにあっては、その製造工程において、対物レンズ駆動装置の移動ベースに対する位置調整が行われる。この位置調整は、対物レンズ駆動装置の可動ブロックに配置された対物レンズを介して位置調整用ディスクに対してレーザー光を照射し、位置調整用ディスクで反射されたレーザー光の戻り光に基づいて測定されるジッター値が最適値となる位置に対物レンズ駆動装置を移動ベースに対して位置調整することにより行われる。ジッター値はディスク状記録媒体から読み出されたＲＦ信号（読み出し信号）の時間軸方向のおける揺らぎを表した数値であり、ジッター値の最適化によりＲＦ信号の品質の向上を図ることができる。
【０００５】
位置調整においては、対物レンズ駆動装置の固定ブロックに予め固定された調整用プレートの一部をその面方向から調整用の治具（一対の把持アーム）によって挟み込むことにより把持し、この調整用の治具によって固定ブロックを移動させたときのジッター値を測定している。この測定の結果、ジッター値が最適値を示した位置に調整用プレートを移動ベースに固定することにより位置調整を完了する。
【０００６】
上記のような位置調整を行う光ピックアップとして、固定ブロックが固定される第１のプレートと移動ベースに固定される第２のプレートとを備え、第２のプレートに対して第１のプレートを充填剤を介して位置調整後に固定するようにしたものがある（例えば、特許文献１参照）。
【０００７】
特許文献１に記載された光ピックアップにあっては、第１のプレートに固定ブロックを挟んで可動ブロックの反対側に突出された部分を設け、この部分を調整用の治具によって把持し調整用の治具を必要な方向へ移動させることにより位置調整を行うようにしている。
【０００８】
【特許文献１】特開平９−２５１６５３号公報
【発明の開示】
【発明が解決しようとする課題】
【０００９】
上記した従来の光ピックアップにあっては、上記したように、固定ブロックを挟んで可動ブロックが位置する側と反対側に突出された第１のプレートの部分を調整用の治具によって把持することにより位置調整を行うようにしている。
【００１０】
ところが、調整用の治具によって把持される第１のプレートの部分が、位置調整用ディスクの真下に存在してしまうため、位置調整用ディスクと第１のプレートの間の小さな隙間から調整用の治具を挿入して第１のプレートの部分を把持しなければならない。
【００１１】
従って、調整用の治具として厚みの薄い形状のものを使用せざるを得ないため、調整用の治具の剛性が低く、調整時に治具の撓みが生じて位置調整の精度が悪化するというおそれがあった。
【００１２】
また、調整用の治具の厚みが限られてしまうため、使用可能な調整用の治具の種類が限定されてしまうという問題もある。
【００１３】
そこで、本発明光ピックアップ及びディスクドライブ装置は、上記した問題点を克服し、移動ベースに対する対物レンズ駆動装置の位置調整の調整精度の向上等を図ることを課題とする。
【課題を解決するための手段】
【００１４】
本発明光ピックアップ及びディスクドライブ装置は、上記した課題を解決するために、移動ベースに固定され該移動ベースに対する対物レンズ駆動装置の位置調整を行うための調整用プレートを設け、対物レンズ駆動装置に、調整用プレートに固定される固定ブロックと、該固定ブロックに支持され固定ブロックに対して所定の方向へ移動される可動ブロックとを設け、調整用プレートに、固定ブロックが固定される固定部と、移動ベースに対する対物レンズ駆動装置の上記位置調整時に位置調整用治具に把持される被把持部とを設け、調整用プレートの被把持部の少なくとも一部を、対物レンズのレンズ中心を通りディスク状記録媒体のタンジェンシャル方向に延びる線分を基準としてディスクテーブルが位置する側の領域である第１の領域又はその反対側の第２の領域の方向へ固定部から突出させて設け、移動ベースに対する対物レンズ駆動装置の上記位置調整時に、位置調整用ディスクを調整用プレートの被把持部の少なくとも一部が突出されない側の領域である第２の領域又は第１の領域に位置させるようにしたものである。
【００１５】
従って、本発明光ピックアップ及びディスクドライブ装置にあっては、調整用プレートに対して位置調整用ディスクが対向した位置に存在しない。
【発明の効果】
【００１６】
本発明光ピックアップは、ディスクテーブルに装着され情報信号の記録又は再生が行われるディスク状記録媒体の半径方向へ移動される移動ベースと該移動ベースに配置され対物レンズを所定の方向へ変位させる対物レンズ駆動装置とを備え、製造工程において、対物レンズを介して位置調整用ディスクに照射されるレーザー光に基づいて検出される所定の測定値が最適化される位置に対物レンズ駆動装置を移動ベースに対して位置調整する光ピックアップであって、上記移動ベースに固定され該移動ベースに対する対物レンズ駆動装置の上記位置調整を行うための調整用プレートを設け、上記対物レンズ駆動装置は、調整用プレートに固定される固定ブロックと、該固定ブロックに支持され固定ブロックに対して所定の方向へ移動される可動ブロックとを備え、上記調整用プレートは、固定ブロックが固定される固定部と、移動ベースに対する対物レンズ駆動装置の上記位置調整時に位置調整用治具に把持される被把持部とを有し、調整用プレートの被把持部は少なくとも一部が、対物レンズのレンズ中心を通りディスク状記録媒体のタンジェンシャル方向に延びる線分を基準として上記ディスクテーブルが位置する側の領域である第１の領域又はその反対側の第２の領域の方向へ固定部から突出されて設けられ、移動ベースに対する対物レンズ駆動装置の上記位置調整時に、位置調整用ディスクを調整用プレートの被把持部の少なくとも一部が突出されない側の領域である第２の領域又は第１の領域に位置させるようにしたことを特徴とする。
【００１７】
従って、調整用プレートの被把持部と位置調整用ディスクとが対向して位置されないため、被把持部を把持するときの把持アームの移動のためのスペースが制限されることがなく、把持アームを厚みの厚い撓みを生じない剛性の高いものを使用することができ、位置調整の精度の向上を図ることができる。
【００１８】
また、把持アームの厚みが限られることがないため、使用可能な把持アームの種類が限定されず把持アームの選択の幅を広げることができる。
【００１９】
請求項２に記載した発明にあっては、調整用プレートの被把持部の上記少なくとも一部を上記第１の領域の方向へ固定部から突出させて設けたので、被把持部を突出させるためのスペースを移動ベースを大きくすることなく確保することができ、光ピックアップの小型化を図ることができる。
【００２０】
本発明ディスクドライブ装置は、ディスクテーブルに装着され情報信号の記録又は再生が行われるディスク状記録媒体の半径方向へ移動される移動ベースと該移動ベースに配置され対物レンズを所定の方向へ変位させる対物レンズ駆動装置とを有する光ピックアップを備え、該光ピックアップの製造工程において、対物レンズを介して位置調整用ディスクに照射されるレーザー光に基づいて検出される所定の測定値が最適化される位置に対物レンズ駆動装置を移動ベースに対して位置調整するディスクドライブ装置であって、上記移動ベースに固定され該移動ベースに対する対物レンズ駆動装置の上記位置調整を行うための調整用プレートを設け、上記対物レンズ駆動装置は、調整用プレートに固定される固定ブロックと、該固定ブロックに支持され固定ブロックに対して所定の方向へ移動される可動ブロックとを備え、上記調整用プレートは、固定ブロックが固定される固定部と、移動ベースに対する対物レンズ駆動装置の上記位置調整時に位置調整用治具に把持される被把持部とを有し、調整用プレートの被把持部は少なくとも一部が、対物レンズのレンズ中心を通りディスク状記録媒体のタンジェンシャル方向に延びる線分を基準として上記ディスクテーブルが位置する側の領域である第１の領域又はその反対側の第２の領域の方向へ固定部から突出されて設けられ、移動ベースに対する対物レンズ駆動装置の上記位置調整時に、位置調整用ディスクを調整用プレートの被把持部の少なくとも一部が突出されない側の領域である第２の領域又は第１の領域に位置させるようにしたことを特徴とする。
【００２１】
従って、調整用プレートの被把持部と位置調整用ディスクとが対向して位置されないため、被把持部を把持するときの把持アームの移動のためのスペースが制限されることがなく、把持アームを厚みの厚い撓みを生じない剛性の高いものを使用することができ、位置調整の精度の向上を図ることができる。
【００２２】
また、把持アームの厚みが限られることがないため、使用可能な把持アームの種類が限定されず把持アームの選択の幅を広げることができる。
【００２３】
請求項４に記載した発明にあっては、調整用プレートの被把持部の上記少なくとも一部を上記第１の領域の方向へ固定部から突出させて設けたので、被把持部を突出させるためのスペースを移動ベースを大きくすることなく確保することができ、ディスクドライブ装置の小型化を図ることができる。
【発明を実施するための最良の形態】
【００２４】
以下に、本発明光ピックアップ及びディスクドライブ装置の最良の形態を添付図面に従って説明する。
【００２５】
ディスクドライブ装置１は、外筐２内に所要の各部材及び各機構が配置されて成り（図１参照）、外筐２には図示しないディスク挿入口が形成されている。
【００２６】
外筐２内には図示しないシャーシが配置され、該シャーシに取り付けられたスピンドルモーターのモーター軸にディスクテーブル３が固定されている。
【００２７】
シャーシには、平行なガイド軸４、４が取り付けられると共に図示しない送りモーターによって回転されるリードスクリュー５が支持されている。
【００２８】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２９】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３０】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されてディスク状記録媒体１００に対する記録動作又は再生動作が行われる。
【００３１】
移動ベース７には、上方に開口された配置凹部９が形成され、該配置凹部９に上記対物レンズ駆動装置８が配置されている（図２参照）。配置凹部９には左右に離隔して上方へ突出された固定用ピン９ａ、９ａが設けられている。
【００３２】
移動ベース７には、配置凹部９が形成された部分とは異なる部分に下方へ開口された取付凹部１０が形成されている（図２及び図３参照）。取付凹部１０には略左右に離隔して下方へ突出された固定用ピン１０ａ、１０ａが設けられている。取付凹部１０にはディスク状記録媒体１００に対してレーザー光を発光する半導体レーザー１１が配置される。
【００３３】
対物レンズ駆動装置８は可動ブロック１２と固定ブロック１３と両者を連結する支持バネ１４、１４、・・・とを備えている（図２参照）。可動ブロック１２には対物レンズ１２ａが配置され、可動ブロック１２は固定ブロック１３に支持バネ１４、１４、・・・を介して中空に保持され固定ブロック１３に対して所定の方向へ移動可能とされている。
【００３４】
可動ブロック１２が固定ブロック１３に対して移動されることにより、対物レンズ１２ａがディスク状記録媒体１００に離接する方向であるフォーカシング方向及びディスク状記録媒体１００の略半径方向であるトラッキング方向に変位され、対物レンズ１２ａを介してディスク状記録媒体１００の記録面に照射されるレーザー光のスポットが記録面に集光されると共に記録トラックに追従される。
【００３５】
固定ブロック１０は調整用プレート１５を介して移動ベース７に固定されている（図２参照）。
【００３６】
調整用プレート１５は、図４に示すように、板状の金属材料が所定の形状に折り曲げられて形成され、主面部１６と該主面部１６から９０°折り曲げれて設けられた被固定片部１７、１７とを有している。主面部１６は対物レンズ駆動装置８の固定ブロック１３が固定される固定部１６ａと後述する調整用の治具によって把持される被把持部１６ｂとから成る。
【００３７】
固定部１６ａには、その上面に対物レンズ駆動装置８の固定ブロック１３がネジ止めや接着等の適宜の手段によって固定されている。
【００３８】
対物レンズ駆動装置８の対物レンズ１２ａのレンズ中心Ｐを通りディスク状記録媒体１００のタンジェンシャル方向に延びる線分を線分Ｌ（図５参照）とすると、調整用プレート１５は、被把持部１６ｂの大部分が、線分Ｌを基準としてディスク状記録媒体１００が装着されるディスクテーブル３が位置する側の領域である第１の領域Ｒの方向へ固定部１６ａから突出されて設けられている。被把持部１６ｂには左右に離隔して被把持孔１６ｃ、１６ｃが形成されている。対物レンズ駆動装置８が移動ベース７の配置凹部９に配置された状態において、被把持孔１６ｃ、１６ｃの真下の位置に、移動ベース７に形成された治具挿入孔７ｃ、７ｃがそれぞれ位置される（図２参照）。
【００３９】
被固定片部１７、１７は左右に離隔し対向した状態で設けられている。対物レンズ駆動装置８が移動ベース７の配置凹部９に配置された状態において、被固定片部１７、１７に近接した位置には、それぞれ配置凹部９に設けられた固定用ピン９ａ、９ａが位置される。
【００４０】
以上のように構成された光ピックアップ６にあっては、その製造工程において、以下のようにして対物レンズ駆動装置８の移動ベース７に対する位置調整が行われる。
【００４１】
位置調整は、図示しない調整機に光ピックアップ７がセットされることにより行われ、調整機は調整用の治具を有している。調整用の治具には一対の把持アームが設けられ、該把持アームが任意の方向へ移動可能とされている。
【００４２】
調整機に光ピックアップ６がセットされた状態においては、移動ベース７が調整機に固定され、位置調整用ディスク２００が調整機に設けられたターンテーブルに装着されており、位置調整用ディスク２００は被把持部１６ｂが突出された側と反対側の領域、即ち、第２の領域Ｌ（図５参照）側に位置されている。
【００４３】
対物レンズ駆動装置８の固定ブロック１３に予め固定された調整用プレート１５は、被把持部１６ｂが一対の把持アームによって上下から把持される。把持アームには挿入ピンが設けられており、一方の把持アームが移動ベース７の配置凹部９に上方から挿入され、他方の把持アームが移動ベース７の治具挿入孔７ｃ、７ｃから挿入され、挿入ピンが被把持孔１６ｃ、１６ｃに挿入され、一対の把持アームによって上下から挟持されることにより被把持部１６ｂが把持される。
【００４４】
位置調整は、上記のように光ピックアップ７が調整機にセットされた状態において、半導体レーザー１１からレーザー光が出射されることにより行われる。半導体レーザー１１からレーザー光が出射されると、可動ブロック１２に配置された対物レンズ１２ａを介して位置調整用ディスク２００に対してレーザー光が照射され、位置調整用ディスク２００で反射されたレーザー光の戻り光が受光素子で受光される。このとき調整器に設けられた測定器によって受光された戻り光に基づいてジッター値が測定され、この測定値に基づいて把持アームが必要な方向へ移動され、ジッター値が最適値となる位置に対物レンズ駆動装置８が移動ベース７に対して位置調整される。
【００４５】
対物レンズ駆動装置８が移動ベース７に対して位置調整されると、位置調整された状態が保持されたまま調整用プレート１５が移動ベース７に固定される。調整用プレート１５は、図６に示すように、被固定片部１７、１７がそれぞれ配置凹部９に設けられた固定用ピン９ａ、９ａに、例えば、半田１８、１８によって固定される。
【００４６】
このように調整用プレート１５の移動ベース７への固定を、被固定片部１７、１７を固定用ピン９ａ、９ａに半田１８、１８によって固定することにより行うことができ、ネジ止めにより固定する場合に比し小さなスペースで行うことができると共に部品点数の削減を図ることができる。
【００４７】
尚、調整用プレート１５の移動ベース７への固定を、例えば、被固定片部１７、１７を固定用ピン９ａ、９ａに接着によって固定することにより行うこともできる。
【００４８】
調整用プレート１５の移動ベース７への固定が完了すると、把持アームによる被把持部１６ｂに対する把持状態が解除され、光ピックアップ７が調整機から取り外される。
【００４９】
以上に記載した通り、ディスクドライブ装置１にあっては、調整用プレート１５の被把持部１６ｂの少なくとも一部を第１の領域Ｒ側へ突出させ、位置調整用ディスク２００を第２の領域Ｌ側に位置させた状態で対物レンズ駆動装置８の移動ベース７に対する位置調整を行っている。
【００５０】
従って、調整用プレート１５の被把持部１６ｂと位置調整用ディスク２００とが対向して位置されないため、把持アームを配置凹部９に挿入するスペースが制限されることがなく、把持アームを厚みの厚い撓みを生じない剛性の高いものを使用することができ、位置調整の精度の向上を図ることができる。
【００５１】
また、把持アームの厚みが限られることがないため、使用可能な把持アームの種類が限定されず把持アームの選択の幅を広げることができる。
【００５２】
さらに、調整用プレート１５の被把持部１６ｂの少なくとも一部がディスク状記録媒体１００が装着されるディスクテーブル３側へ突出されているため、被把持部１６ｂを突出させるためのスペースを移動ベース７を大きくすることなく確保することができ、光ピックアップ７の小型化を図ることができる。
【００５３】
上記には、調整用プレート１５の被把持部１６ｂの少なくとも一部を第１の領域Ｒ側へ突出させ、位置調整用ディスク２００を第２の領域Ｌ側に位置させた状態で対物レンズ駆動装置８の移動ベース７に対する位置調整を行う例を示したが、逆に、図７に示すように、調整用プレート１５の被把持部１６ｂの少なくとも一部を第２の領域Ｌ側へ突出させ、位置調整用ディスク２００を第１の領域Ｒ側に位置させた状態で対物レンズ駆動装置８の移動ベース７に対する位置調整を行うこともできる。
【００５４】
このように調整用プレート１５の被把持部１６ｂの少なくとも一部を第２の領域Ｌ側へ突出させ、位置調整用ディスク２００を第１の領域Ｒ側に位置させた状態で対物レンズ駆動装置８の移動ベース７に対する位置調整を行うようにした場合においても、調整用プレート１５の被把持部１６ｂと位置調整用ディスク２００とが対向して位置されないため、把持アームを配置凹部９に挿入するスペースが制限されることがなく、把持アームを厚みの厚い撓みを生じない剛性の高いものを使用することができ、位置調整の精度の向上を図ることができる。
【００５５】
また、把持アームの厚みが限られることがないため、使用可能な把持アームの種類が限定されず把持アームの選択の幅を広げることができる。
【００５６】
尚、光ピックアップ７にあっては、上記した対物レンズ駆動装置８の移動ベース７に対する位置調整の他に、半導体レーザー１１の移動ベース７に対する位置調整、即ち、発光点位置調整も行われる。この発光点位置調整は、半導体レーザー１１が固定された位置調整プレート１９（図３参照）が、所定の位置調整用治具に把持され該位置調整用治具が必要な方向へ移動されることにより行われる。
【００５７】
位置調整プレート１９は半導体レーザー１１を固定して保持する保持部２０と移動ベース７に固定される固定用平板部２１とから成り、保持部２０が固定用平板部２１に対して９０°折り曲げられて設けられている。
【００５８】
固定用平板部２１には、その両端部にそれぞれ挿通孔２１ａ、２１ａが形成されている。
【００５９】
半導体レーザー１１が移動ベース７に対して位置調整され発光点位置調整が完了すると、位置調整された状態が保持されたまま位置調整プレート１９が移動ベース７に固定される。位置調整プレート１９は、図８に示すように、固定用平板部２１の挿通孔２１ａ、２１ａにそれぞれ取付凹部１０に設けられた固定用ピン１０ａ、１０ａが挿通された状態で、固定用平板部２１の両端部が固定用ピン１０ａ、１０ａに、例えば、半田２２、２２によって固定される。
【００６０】
このように位置調整プレート１９の移動ベース７への固定も、調整用プレート１５の移動ベース７への固定と同様に、半田２２、２２によって固定することにより行うことができ、ネジ止めにより固定する場合に比し小さなスペースで行うことができると共に部品点数の削減を図ることができる。
【００６１】
尚、位置調整プレート１９の固定用ピン１０ａ、１０ａへの固定は、半田２２、２２によらずに、接着等によって行ってもよい。
【００６２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６３】
【図１】図２乃至図８と共に本発明を実施するための最良の形態を示すものであり、本図はディスクドライブ装置の概略斜視図である。
【図２】光ピックアップの拡大平面図である。
【図３】半導体レーザーの移動ベースに対する配置状態を示す拡大斜視図である。
【図４】調整用プレートの拡大斜視図である。
【図５】位置調整用ディスクと調整用プレートの被把持部との位置関係を示す拡大平面図である。
【図６】調整用プレートが移動ベースに固定された状態を示す拡大平面図である。
【図７】位置調整用ディスクと調整用プレートの被把持部との図５とは異なる位置関係を示す拡大平面図である。
【図８】位置調整プレートが移動ベースに固定された状態を示す拡大斜視図である。
【符号の説明】
【００６４】
１００…ディスク状記録媒体、２００…位置調整用ディスク、１…ディスクドライブ装置、３…ディスクテーブル、６…光ピックアップ、７…移動ベース、８…対物レンズ駆動装置、１２…可動ブロック、１２ａ…対物レンズ、１３…固定ブロック、１５…調整用プレート、１６ａ…固定部、１６ｂ…被把持部
【図１】
2006040317.tif 000003
【図２】
2006040317.tif 000004
【図３】
2006040317.tif 000005
【図４】
2006040317.tif 000006
【図５】
2006040317.tif 000007
【図６】
2006040317.tif 000008
【図７】
2006040317.tif 000009
【図８】
2006040317.tif 000010